(57)【要約】【課題】クローゼットとして使用するために形成された空間に、ユニットを埋め込んだ状態のクローゼットを、利用者の好みに合わせて自由に構築すること。【解決手段】複数の壁面１１０それぞれに壁面パネル１０、２０、３０を取り付けることにより、これら壁面パネルからなるユニットが空間に埋め込まれた状態のクローゼット１を構築することができる。そのため、複数の壁面１１０で形成される空間の広さに合った大きさのユニットを壁面パネルで構成できることになり、これによって、ユニットが埋め込まれた状態のクローゼット１を利用者の好みに合わせて自由に構築できる。【選択図】図１
2004137846.tif 000002
【特許請求の範囲】
【請求項１】
複数の壁面で形成された空間内にクローゼットを構築する方法であって、
前記複数の壁面それぞれに壁面パネルを取り付け、該複数の壁面のうちいずれかの壁面には、前記壁面パネルとして、衣類を納めるための収納部材の一部分を挿入することにより該収納部材を固定可能な固定穴が上下方向に沿って複数設けられたパネルを取り付ける
ことを特徴とするクローゼット構築方法。
【請求項２】
前記いずれかの壁面に取り付ける前記壁面パネルは、それぞれ幅の異なる複数種類のパネルのうち１種類以上のパネルからなる複数のパネルを、前記複数の壁面で形成された空間に合わせて組み合わせると共に、前記固定穴が長手方向に沿って複数設けられた固定レールを各パネルの境目に配設することにより構成する
ことを特徴とする請求項１に記載のクローゼット構築方法。
【請求項３】
前記壁面パネルは、横方向の断面形状において、前記固定レールが収納部材を固定する側の面に突出しないように構成する
ことを特徴とする請求項２に記載のクローゼット構築方法。
【請求項４】
前記いずれかの壁面に取り付ける前記壁面パネルは、複数のパネルを組み合わせ、各パネルの境目に、前記固定レールをネジ類または釘類で固定することにより構成する
ことを特徴とする請求項２または請求項３に記載のクローゼット構築方法。
【請求項５】
前記壁面パネルは、前記複数の壁面で形成される空間の内側から壁面に向けて、ネジ類をねじ込む、または、釘類を打ち込むことによって壁面に取り付ける
ことを特徴とする請求項１から請求項４のいずれかに記載のクローゼット構築方法。
【請求項６】
前記壁面パネルを取り付けるネジ類または釘類は、壁面を支持する支柱に対応する位置から、該支柱に到達するまでねじ込む、または、打ち込む
ことを特徴とする請求項５に記載のクローゼット構築方法。
【請求項７】
前記壁面パネルは、ネジ類または釘類と接着剤とを併用して壁面に取り付ける
ことを特徴とする請求項５または請求項６に記載のクローゼット構築方法。
【請求項８】
二つの前記壁面パネルが隣接する隅部分には、該隅部分を覆い隠すように柱状の隅部材を取り付ける
ことを特徴とする請求項１から請求項７のいずれかに記載のクローゼット構築方法。
【請求項９】
複数の壁面で形成された空間内に構築したクローゼットであって、
前記複数の壁面それぞれに取り付けられた壁面パネルからなり、
該壁面パネルのうちいずれかの壁面パネルには、衣類を納めるための収納部材の一部分を挿入することにより該収納部材を固定可能な固定穴が上下方向に沿って複数設けられている
ことを特徴とするクローゼット。
【請求項１０】
前記いずれかの壁面パネルは、それぞれ幅の異なる複数種類のパネルのうち１種類以上のパネルからなる複数のパネルを、前記複数の壁面で形成された空間に合わせて組み合わせたものであって、各パネルの境目に、複数の前記固定穴が長手方向に沿って設けられた固定レールが配設されている
ことを特徴とする請求項９に記載のクローゼット。
【請求項１１】
前記壁面パネルは、横方向の断面形状において、前記固定レールが収納部材を固定する側の面に突出しないように構成されている
ことを特徴とする請求項１０に記載のクローゼット。
【請求項１２】
前記いずれかの壁面パネルは、複数のパネルを組み合わせたものであって、各パネルの境目に、前記固定レールがネジ類または釘類で固定されている
ことを特徴とする請求項１０または請求項１１に記載のクローゼット。
【請求項１３】
前記壁面パネルは、前記複数の壁面で形成される空間の内側から壁面に向けて、ネジ類をねじ込む、または、釘類を打ち込むことによって壁面に取り付けられている
ことを特徴とする請求項９から請求項１２のいずれかに記載のクローゼット。
【請求項１４】
前記壁面パネルを取り付けるネジ類または釘類は、壁面を支持する支柱に対応する位置から、該支柱に到達するまでねじ込まれている、または、打ち込まれている
ことを特徴とする請求項１３に記載のクローゼット。
【請求項１５】
前記壁面パネルは、ネジ類または釘類と接着剤とを併用して壁面に取り付けられている
ことを特徴とする請求項１３または請求項１４に記載のクローゼット。
【請求項１６】
二つの前記壁面パネルが隣接する隅部分には、該隅部分を覆い隠すように柱状の隅部材が取り付けられている
ことを特徴とする請求項９から請求項１５のいずれかに記載のクローゼット。
【請求項１７】
複数の壁面で形成された空間内にクローゼットを構築する際に使用可能な壁面パネルであって、
衣類を納めるための収納部材の一部分を挿入することにより該収納部材を固定可能な固定穴が、壁面における上下方向に沿って複数設けられている
ことを特徴とする壁面パネル。
【請求項１８】
それぞれ幅の異なる複数種類のパネルのうち１種類以上のパネルからなる複数のパネルを、前記複数の壁面で形成された空間に合わせて組み合わて構成するものであって、各パネルの境目に、複数の前記固定穴が長手方向に沿って設けられた固定レールが配設されている
ことを特徴とする請求項１７に記載の壁面パネル。
【請求項１９】
横方向の断面形状において、前記固定レールが収納部材を固定する側の面に突出しないように構成されている
ことを特徴とする請求項１８に記載のクローゼット。
【請求項２０】
複数のパネルを組み合わせ、各パネルの境目に、前記固定レールがネジ類または釘類で固定されている
ことを特徴とする請求項１８または請求項１９に記載のクローゼット。
【発明の詳細な説明】
【０００１】
【発明の属する技術分野】
本発明は、複数の壁面で形成された空間内に構築されるクローゼットに関する。
【０００２】
【従来の技術】
従来から、マンションなどの住宅においては、図７（ａ）に示すように、三方向が壁面１１２、１１４、１１６で囲まれた空間１２０を形成し、この空間１２０内をクローゼットとして使用することが行われている。また、図７（ｂ）に示すように、複数の壁面１１２、１１４、１１６で形成された空間１２０に、箱型（または筒型）のユニット５００を埋め込んだ状態のクローゼット（以降、システム収納とする）を構築することも行われている（非特許文献１）。
【０００３】
【非特許文献１】
小林清泰、「システム収納は、なぜシステムなのか」、室内、工作社、平成１３年７月２８日、８月号、ｐ．４４−ｐ．４６
【０００４】
【発明が解決しようとする課題】
ところで、上述のように複数の壁面１１２、１１４、１１６で形成された空間１２０をクローゼットとする場合においては、この空間１２０にユニット５００を埋め込んでシステム収納を構築したいという要望があった。しかし、空間１２０にユニット５００を埋め込むには、ユニット５００が空間１２０より小さくなければならず、また、空間１２０における開口面１３０に相当する位置に袖１１８が設けられていることにより、開口部分がユニット５００の幅よりも狭い場合には袖１１８を除去しなければならない。
【０００５】
このように、クローゼットとして使用するために形成された空間１２０にシステム収納を構築するためには、空間１２０またはユニット５００の大きさや、壁面１１０の袖１１８を除去するか否かなどの制限があり、システム収納を利用者の好みに合わせて自由に構築することが難しかった。
【０００６】
本発明は、クローゼットとして使用するために形成された空間に、ユニットを埋め込んだ状態のクローゼットを、利用者の好みに合わせて自由に構築することができるようにするための技術を提供することを目的とする。
【０００７】
【課題を解決するための手段および発明の効果】
上記問題を解決するため請求項１に記載のクローゼット構築方法は、
複数の壁面で形成された空間内にクローゼットを構築する方法であって、
前記複数の壁面それぞれに壁面パネルを取り付け、該複数の壁面のうちいずれかの壁面には、前記壁面パネルとして、衣類を納めるための収納部材の一部分を挿入することにより該収納部材を固定可能な固定穴が上下方向に沿って複数設けられたパネルを取り付ける、ことを特徴とする。
【０００８】
このようなクローゼット構築方法によれば、複数の壁面それぞれに壁面パネルを取り付けることにより、これら壁面パネルからなるユニットが空間に埋め込まれた状態のクローゼットを構築することができる。このように、複数の壁面で形成される空間の広さに合った大きさのユニットを壁面パネルで構成できることになり、これによって、ユニットが埋め込まれた状態のクローゼットを利用者の好みに合わせて自由に構築できる。
【０００９】
また、複数の壁面で囲まれた空間の開口面に対応する位置に袖が設けられ、これにより開口部分が狭くなっている場合であっても、この開口部分が壁面パネルを通すことのできる広さであれば、袖を除去することなく、ユニットが埋め込まれた状態のクローゼットを構築することができる。
【００１０】
さらに、複数の壁面のうちいずれかの壁面に、固定穴が設けられた壁面パネルを取り付けることにより、この固定穴に収納部材を取り付けることができるようになる。この固定穴は、壁面パネルの上下方向に沿って複数設けられているため、収納部材を上下方向に沿った任意の位置に固定することができる。このことから、利用者の好みに合わせた収納形態となるように収納部材を固定したクローゼットを構築することができる。
【００１１】
なお、上述した収納部材とは、衣類を納めるための部材であって、例えば、ハンガーを掛けるハンガー掛け（または、ハンガーパイプ）、衣類を載せた状態で収納する棚板、バスケットなどのことである。また、この収納部材において、固定穴に挿入する一部分としては、例えば、固定穴に引っかけた状態で固定することができる形状のフック部を設けた構成などを採用することができる。このように、フック部により収納部材を固定する構成においては、収納部材を壁面パネルに対して着脱自在に固定できるようになるため、収納部材を固定した後であっても、利用者の好みに合わせた収納形態となるように収納部材の固定位置を自由に変更することができるため好適である。
【００１２】
また、壁面パネルは、壁面の幅に合った幅となっているものを使用すればよい。また、それぞれ幅の異なる複数種類のパネルのうち、１種類以上のパネルからなる複数のパネルを、壁面に合わせて組み合わせて使用してもよい。この場合、幅の異なる複数種類のパネルをあらかじめ用意しておけば、これらパネルのうち１種類以上のパネルからなる複数のパネルを壁面に合わせて組み合わせることにより壁面パネルを構成できる。そのため、様々な幅の壁面に対応できるように多種類の壁面パネルを用意しておく必要がなく、あらかじめ用意しておくべきパネルの種類を少なくすることができるため好適である。
【００１３】
また、この構成の壁面パネルにおいて、複数の壁面のうちいずれかの壁面に取り付ける壁面パネルを、請求項２に記載のように、
前記いずれかの壁面に取り付ける前記壁面パネルは、それぞれ幅の異なる複数種類のパネルのうち１種類以上のパネルからなる複数のパネルを、前記複数の壁面で形成された空間に合わせて組み合わせると共に、前記固定穴が長手方向に沿って複数設けられた固定レールを各パネルの境目に配設することにより構成する、とよい。
【００１４】
このクローゼット構築方法によれば、上述した効果の他、壁面パネルを構成する各パネルの境目に、固定穴が長手方向に沿って複数設けられた固定レールを配設することによって、壁面パネルの上下方向に沿って複数の固定穴を設けることができる。
【００１５】
なお、この方法で使用される壁面パネルは、横方向の断面形状において、固定レールの一部または全部が、収納部材を固定する側の面に突出するように構成すればよい。また、請求項３に記載のように、
前記壁面パネルは、横方向の断面形状において、前記固定レールが収納部材を固定する側の面に突出しないように構成してもよい。
【００１６】
この方法により構築されるクローゼットは、固定レールが、壁面パネルにおける収納部材を固定する側の面に突出していないため、壁面パネルに収納部材を固定するときや、クロゼット内に衣類を収納するときなどに固定レールが邪魔になる恐れがなく、また、クローゼットとしての収納スペースが固定レールにより狭められることもない。
【００１７】
なお、上述の「突出しない」ような構成とは、例えば、横方向の断面形状において、固定レールおよび各パネルがフラットな面となる構成、各パネルに対して固定レールが凹状になる構成などのことである。
また、上述の固定レールを壁面パネルに固定するには、請求項４に記載のように、
前記いずれかの壁面に取り付ける前記壁面パネルは、複数のパネルを組み合わせ、各パネルの境目に、前記固定レールをネジ類または釘類で固定することにより構成する、とよい。
【００１８】
このクローゼット構築方法によれば、固定レールをネジ類または釘類で壁面パネルに固定することができる。
また、上述の壁面パネルを壁面に取り付けるには、例えば、請求項５に記載のように、
前記壁面パネルは、前記複数の壁面で形成される空間の内側から壁面に向けて、ネジ類をねじ込む、または、釘類を打ち込むことによって壁面に取り付ける、とよい。
【００１９】
このクローゼット構築方法によれば、ネジ類や釘類により壁面パネルを壁面に取り付けることができる。
特に、この方法においては、請求項６に記載のように、
前記壁面パネルを取り付けるネジ類または釘類は、壁面を支持する支柱に対応する位置から、該支柱に到達するまでねじ込む、または、打ち込む、とよい。
【００２０】
このクローゼット構築方法によれば、ネジ類または釘類が、壁面を支持する支柱に到達するまでねじ込まれる、または、打ち込まれる。そのため、ネジ類または釘類が、壁面を支持する支柱まで到達していない場合よりも、ネジ類または釘類が支柱まで到達する分だけ高い取付強度で壁面パネルを取り付けることができる。
【００２１】
また、上述のように、壁面パネルを壁面に取り付ける際には、請求項７に記載のように、
前記壁面パネルは、ネジ類または釘類と接着剤とを併用して壁面に取り付ける、とよい。
【００２２】
このクローゼット構築方法によれば、壁面パネルを、ネジ類または釘類と接着剤とを併用して取り付けることにより、接着剤が硬化するまでの間、ネジ類または釘類により壁面パネルの取付位置がずれることを防止できるため、接着剤のみを用いて壁面パネルを取り付ける場合と比べ、壁面パネルを取り付けた後の位置精度を維持しやすくなる。しかも、接着剤の硬化後は、接着剤によって取付強度を高めることができるため、ネジ類または釘類、および、接着剤のいずれか一方のみを用いて壁面パネルを取り付ける場合に比べ、壁面パネルの取付強度を高くすることができる。さらに、接着剤は、壁面パネルと壁面との接触面に入り込んで隙間を埋める充填剤として機能し、また、壁面パネル、壁面、および、ネジ類または釘類それぞれの間の僅かな変位を阻止するように作用するため、ネジ類または釘類周りからきしみ音が発生することを防止できる。
【００２３】
なお、上述の「ネジ類」とは、例えば、ビス、ボルトなどのことであって、「釘類」とは、例えば、釘、タッカーなどのことである。
また、請求項８に記載のクローゼット構築方法は、
二つの前記壁面パネルが隣接する隅部分には、該隅部分を覆い隠すように柱状の隅部材を取り付ける、ことを特徴とする。
【００２４】
このクローゼット構築方法によれば、二つの壁面パネルが隣接する隅部分に隙間が形成された場合でも、この隙間を隅部材で覆い隠すことができるため、クローゼットとしての美観を損なわないようにすることができる。
また、請求項９に記載のクローゼットは、
複数の壁面で形成された空間内に構築したクローゼットであって、
前記複数の壁面それぞれに取り付けられた壁面パネルからなり、
該壁面パネルのうちいずれかの壁面パネルには、衣類を納めるための収納部材の一部分を挿入することにより該収納部材を固定可能な固定穴が上下方向に沿って複数設けられている、ことを特徴とする。
【００２５】
このように構成されたクローゼットによれば、請求項１に記載のクローゼット構築方法で構築するのに好適であり、請求項１と同様に、ユニットを埋め込んだ状態のクローゼットを利用者の好みに合わせて自由に構築できる。
また、請求項１０に記載のクローゼットは、
前記いずれかの壁面パネルは、それぞれ幅の異なる複数種類のパネルのうち１種類以上のパネルからなる複数のパネルを、前記複数の壁面で形成された空間に合わせて組み合わせたものであって、各パネルの境目に、複数の前記固定穴が長手方向に沿って設けられた固定レールが配設されている、ことを特徴とする。
【００２６】
このように構成されたクローゼットによれば、請求項２に記載のクローゼット構築方法で構築するのに好適であり、固定レールに収納部材を固定することができる。
また、請求項１１に記載のクローゼットは、
前記壁面パネルは、横方向の断面形状において、前記固定レールが収納部材を固定する側の面に突出しないように構成されている、ことを特徴とする。
【００２７】
このように構成されたクローゼットによれば、請求項３に記載のクローゼット構築方法で構築するのに好適であり、請求項３と同様に、壁面パネルに収納部材を固定するときや、クロゼット内に衣類を収納するときなどに固定レールが邪魔になる恐れがなく、クローゼットとしての収納スペースが固定レールにより狭められることもない。
【００２８】
また、請求項１２に記載のクローゼットは、
前記いずれかの壁面パネルは、複数のパネルを組み合わせたものであって、各パネルの境目に、前記固定レールがネジ類または釘類で固定されている、ことを特徴とする。
【００２９】
このように構成されたクローゼットによれば、請求項４に記載のクローゼット構築方法で構築するのに好適である。
また、請求項１３に記載のクローゼットは、
前記壁面パネルは、前記複数の壁面で形成される空間の内側から壁面に向けて、ネジ類をねじ込む、または、釘類を打ち込むことによって壁面に取り付けられている、ことを特徴とする。
【００３０】
このように構成されたクローゼットによれば、請求項５に記載のクローゼット構築方法で構築するのに好適である。
また、請求項１４に記載のクローゼットは、
前記壁面パネルを取り付けるネジ類または釘類は、壁面を支持する支柱に対応する位置から、該支柱に到達するまでねじ込まれている、または、打ち込まれている、ことを特徴とする。
【００３１】
このように構成されたクローゼットによれば、請求項６に記載のクローゼット構築方法で構築するのに好適であり、ネジ類または釘類が支柱まで到達していない場合と比べ、ネジ類または釘類が支柱に到達している分だけ壁面パネルの取付強度が高い。
【００３２】
また、請求項１５に記載のクローゼットは、
前記壁面パネルは、ネジ類または釘類と接着剤とを併用して壁面に取り付けられている、ことを特徴とする。
このように構成されたクローゼットによれば、請求項７に記載のクローゼット構築方法で構築するのに好適であり、請求項７と同様に、接着剤のみを用いて壁面パネルを取り付ける場合と比べ、壁面パネルを取り付けた後の位置精度を維持しやすい。また、ネジ類または接着剤のみを用いて壁面パネルを取り付ける場合に比べ、壁面パネルの取付強度を高くすることができる。さらに、ネジ類または釘類周りからきしみ音が発生することを防止できる。
【００３３】
また、請求項１６に記載のクローゼットは、
二つの前記壁面パネルが隣接する隅部分には、該隅部分を覆い隠すように柱状の隅部材が取り付けられている、ことを特徴とする。
このように構成されたクローゼットによれば、請求項８に記載のクローゼット構築方法で構築するのに好適であり、請求項８と同様に、クローゼットとしての美観を損なわないようにすることができる
また、請求項１７に記載の壁面パネルは、
複数の壁面で形成された空間内にクローゼットを構築する際に使用可能な壁面パネルであって、
衣類を納めるための収納部材の一部分を挿入することにより該収納部材を固定可能な固定穴が、壁面における上下方向に沿って複数設けられている、ことを特徴とする。
【００３４】
このように構成された壁面パネルは、請求項９に記載のクローゼットを構築するために好適であり、この壁面パネルを使用して構築したクローゼットは、請求項９に記載のクローゼットと同様の作用・効果を得ることができる。
また、請求項１８の壁面パネルは、
それぞれ幅の異なる複数種類のパネルのうち１種類以上のパネルからなる複数のパネルを、前記複数の壁面で形成された空間に合わせて組み合わて構成するものであって、各パネルの境目に、複数の前記固定穴が長手方向に沿って設けられた固定レールが配設されている、ことを特徴とする。
【００３５】
このように構成された壁面パネルは、請求項１０に記載のクローゼットを構築するために好適であり、この壁面パネルを使用して構築したクローゼットは、請求項１０に記載のクローゼットと同様の作用・効果を得ることができる。
また、請求項１９に記載の壁面パネルは、
横方向の断面形状において、前記固定レールが収納部材を固定する側の面に突出しないように構成されている、ことを特徴とする。
【００３６】
このように構成された壁面パネルは、請求項１１に記載のクローゼットを構築するために好適であり、この壁面パネルを使用して構築したクローゼットは、請求項１１に記載のクローゼットと同様の作用・効果を得ることができる。
また、請求項２０に記載の壁面パネルは、
複数のパネルを組み合わせ、各パネルの境目に、前記固定レールがネジ類または釘類で固定されている、ことを特徴とする。
【００３７】
このように構成された壁面パネルは、請求項１２に記載のクローゼットを構築するために好適であり、この壁面パネルを使用して構築したクローゼットは、請求項１２に記載のクローゼットと同様の作用・効果を得ることができる。
【００３８】
【発明の実施の形態】
次に本発明の実施の形態について例を挙げて説明する。
クローゼット１は、図１の上面図、図２の正面図（ａ）および縦断面図（ｂ）に示すように、マンションなどの住宅内において、三方向を壁面１１０で囲まれた長方形の空間１２０内に構築するものであって、この空間１２０における開口面１３０と平行な壁面１１２に取り付けられる第１壁面パネル１０、開口面１３０と垂直な壁面１１４、１１６それぞれに取り付けられる第２、第３壁面パネル２０、３０、二つの壁面パネル１０が隣接する隅部分に取り付けられる柱状の隅部材４０、床面に設置された引出収納５０などからなる。
【００３９】
第１壁面パネル１０は、壁面１１２の中心位置に配設されるセンターパネル１２、センターパネル１２の両側にそれぞれ配設されるカットパネル１４、センターパネル１２およびカットパネル１４の境目に配設される固定レール１６が組み合わされたものである。これらのうち、センターパネル１２は、横方向（図１における左右方向）の断面形状が、長手方向の両端側から突起部１２ａが延出した形状となっている。また、カットパネル１４は、横方向の断面形状が、長方形の長手方向における一端から、センターパネル１２の突起部１２ａと嵌合する突起部１４ａが延出した形状となっている。そして、固定レール１６は、図３に示すように、中空の柱状部材であって、後述する収納部材を固定するための固定穴１６ａが長手方向に沿って複数設けられ、また、固定レール１６自身を固定するためのネジ穴１６ｂが長手方向に沿って一定数（本実施形態においては１０）の固定穴１６ａ毎に複数設けられたレールである。なお、上述したセンターパネル１２およびカットパネル１４の突起部１２ａ、１４ａは、両パネルを組み合わせた（嵌合した）状態で、空間１２０側に空いた凹部１４０を両パネルの境目に形成する形状となっており、固定レール１６は、この凹部１４０内に収められて、僅か（本実施形態においては、１ｍｍ程度）に突出した状態で配設される。
【００４０】
隅部材４０は、横方向の断面形状が二等辺三角形で、この二等辺三角形における各頂点のうち、直角ではない二つの頂点が面取りされた形状となっている。この隅部材４０は、第１壁面パネル１０と第２壁面パネル２０とが直角に隣接している隅部分１５０、および、第１壁面パネル１０と第３壁面パネル３０とが直角に隣接している隅部分１６０に、これら隅部分１５０、１６０を各壁面パネル１０、２０、３０の上端から下端まで覆い隠すように取り付けられる。
【００４１】
なお、上述した収納部材とは、衣類を収納するための部材であって、ハンガーを掛けるハンガーパイプ２１０（図４（ａ）参照）、衣類を載せた状態で収納する棚板２２０（図４（ｂ）参照）などのことである。これら収納部材それぞれは、固定レール１６へ固定するための固定板３００を横方向に間隔を空けて２つ備えている。さらに、この固定板３００には、縦方向（固定板３００の配列方向に直交する方向）に配列された２つのフック部３００ａが設けられており、このフック部３００ａそれぞれを固定レール１６の固定穴１６ａに挿入させて引っかけることにより、収納部材を固定レール１６（つまり、第１壁面パネル１０）へ着脱自在に固定することができる。
【００４２】
以下に、クローゼット１を構築するクローゼット構築方法を説明する。
まず、センターパネル１２を、空間１２０側から壁面１１２に向けて釘６０を打ち込むことによって、壁面１１２の中心位置へ取り付ける。ここでは、空間１２０における壁面１１２に相当する幅に応じて、それぞれ幅の異なる２種類のパネルのうちいずれかのパネルを、センターパネル１２として使用する。本実施形態においては、空間１２０における壁面１１２に対応する幅が一定値以上であれば第１のパネルをセンターパネル１２として使用し、一定値より小さければ第１のパネルよりも幅が狭い第２のパネルをセンターパネル１２として使用する。なお、センターパネル１２を取り付ける際に打ち込まれる釘６０は、壁面１１２を支持する支柱１４２に対応する位置（壁面１１２における支柱１４２が存在する位置）から、この支柱１４２に到達するまで打ち込む。
【００４３】
次に、固定レール１６を、各ネジ穴１６ｂそれぞれにネジをねじ込むことによって、センターパネル１２の突起部１２ａにネジ止めする。
次に、カットパネル１４を、壁面１１２におけるセンターパネル１２の両側にそれぞれ接着剤により取り付ける。ここでは、一定の幅となっているパネルを、壁面１１２におけるセンターパネル１２の端部側から壁面１１４、１１６に至る長さに合わせてカットしたものを、カットパネル１４として使用する。
【００４４】
ここまでの手順によって、センターパネル１２、カットパネル１４、固定レール１６からなる第１壁面パネル１０が壁面１１２に取り付けたことになる。
次に、第２、第３壁面パネル２０、３０を、空間１２０側から壁面１１４、１１６に向けて釘６０を打ち込むことによって、壁面１１４、１１６へ取り付ける。ここでは、空間１２０における壁面１１４、１１６に相当する幅に応じて、それぞれ幅の異なる２種類のパネルのうちいずれかのパネルを、第２、第３壁面パネル２０、３０として使用する。本実施形態においては、空間１２０における壁面１１４、１１６に対応する幅が一定値以上であれば第３のパネルを第２、第３壁面パネル２０、３０として使用し、一定値より小さければ第３のパネルよりも幅が狭い第４のパネルを第２、第３壁面パネル２０、３０として使用する。なお、第２、第３壁面パネル２０、３０を取り付ける際に打ち込まれる釘６０は、壁面１１４、１１６を支持する支柱１４４、１４６に対応する位置（壁面１１４、１１６における支柱１４４、１４６が存在する位置）から、この支柱１４４、１４６に到達するまで打ち込む。
【００４５】
そして、隅部材４０を、隅部分１５０、１６０それぞれを壁面パネル１０の上端から下端まで覆い隠すように接着剤で取り付ける。ここでは、横方向の断面形状（二等辺三角形）で直角となっている角を、隅部分１５０、１６０に向けた状態で取り付ける。
【００４６】
［効果］
このようなクローゼット１を構築する方法によれば、複数の壁面１１０それぞれに壁面パネル１０、２０、３０を取り付けることにより、これら壁面パネル１０、２０、３０からなるユニットが空間に埋め込まれた状態のクローゼット１を構築することができる。そのため、複数の壁面１１０で形成される空間１２０の広さに合った大きさのユニットを壁面パネル１０で構成できることになり、これによって、ユニットが埋め込まれた状態のクローゼットを利用者の好みに合わせて自由に構築できる。
【００４７】
また、上述のクローゼット構築方法では、例えば、図７（ａ）に示すように、複数の壁面１１０で囲まれた空間１２０の開口面１３０に対応する部分に袖１１８が設けられ、これにより開口部分が狭くなっている場合であっても、この開口部分が壁面パネル１０を通すことのできる広さであれば、袖１１８を除去することなく、ユニットが埋め込まれた状態のクローゼット１を構築することができる。
【００４８】
さらに、この方法でクローゼット１を構築すると、開口面１３０と平行な壁面１１２には、固定穴１６ａが設けられた第１壁面パネル１０が取り付けられるため、この固定穴１６ａに収納部材を取り付けることができるようになる。この固定穴１６ａは、第１壁面パネル１０の上下方向に沿って複数設けられているため、収納部材を上下方向に沿った任意の位置に固定することができる。このことから、利用者の好みに合わせた収納形態となるように収納部材を固定したクローゼット１を構築することができる。特に、収納部材は、固定穴１６ａに引っかける形状のフック部３００ａを設けた構成であるため、収納部材を第１壁面パネル１０（固定レール１６）に対して着脱自在に固定でき、収納部材を固定した後であっても、利用者の好みに合わせた収納形態となるように収納部材の固定位置を自由に変更することができる。
【００４９】
また、第１壁面パネル１０は、空間１２０における壁面１１２に相当する幅に応じて、それぞれ幅の異なる２種類のパネルのうちいずれかのパネルをセンターパネル１２として使用し、一定の幅となっているパネルをセンターパネル１２の端部側から壁面１１４、１１６に至る長さに合わせてカットしたものをカットパネル１４として使用する。このように、幅の異なる２種類のセンターパネル１２をあらかじめ用意しておけば、これらセンターパネル１２のいずれかと、カットパネル１４とを組み合わせることにより第１壁面パネル１０を構成できる。そのため、様々な幅の壁面に対応できるように他種類の第１壁面パネル１０を用意しておく必要がない。
【００５０】
特に、幅の異なる２種類のセンターパネル１２のうちのいずれかにより第１壁面パネル１０が構成されるため、このセンターパネル１２の両端側に固定される固定レール１６の取り付け間隔、つまり、固定穴１６ａの横方向における間隔も２種類のうちいずれかになる。そのため、収納部材としては、固定板３００の間隔が、この固定穴１６ａの間隔となっている２種類ものを用意すればよい。このように、２種類の幅となっているセンターパネル１２を使用することによって、収納部材についても固定板３００が２種類の間隔となっているものを用意するだけでよくなるため好適である。
【００５１】
また、第１壁面パネル１０を構成する各パネルの境目に、固定穴１６ａが長手方向に沿って複数設けられた固定レール１６を配設することによって、第１壁面パネル１０の上下方向に沿って複数の固定穴１６ａを設けることができる。
また、固定レール１６をネジでセンターパネル１２（第１壁面パネル１０）に固定することができる。
【００５２】
また、各壁面パネル１０、２０、３０を釘６０により各壁面１１０に取り付けることができる。
また、各壁面パネル１０、２０、３０を取り付ける際の釘６０は、壁面１１０を支持する支柱１４２、１４４、１４６に到達するまで打ち込まれる。そのため、釘６０が各壁面１１０を支持する支柱１４２、１４４、１４６まで到達していない場合よりも、釘６０が支柱１４２、１４４、１４６まで到達した分だけ高い取付強度で各壁面パネル１０、２０、３０を取り付けることができる。
【００５３】
また、第１壁面パネル１０と第２壁面パネル２０とが直角に隣接している隅部分１５０、および、第１壁面パネル１０と第３壁面パネル３０とが直角に隣接している隅部分１６０には、これら隅部分１５０、１６０を各壁面パネル１０、２０、３０の上端から下端まで覆い隠すように隅部材４０が取り付けられている。そのため、二つの壁面パネルが隣接する隅部分１５０、１６０に隙間が形成されてしまった場合でも、この隙間を隅部材４０で覆い隠すことができるため、クローゼットとしての美観を損なわないようにすることができる。
【００５４】
［変形例］
以上、本発明の実施形態について説明したが、本発明は上記の具体的な実施形態に限定されず、このほかにも様々な形態で実施することができる。
例えば、上記実施形態において、第１壁面パネル１０は、横方向の断面形状において、固定レール１６が収納部材を固定する側の面に突出した状態で配設されるものを例示した。しかし、固定レール１６が収納部材を固定する側の面に突出しないように配設してもよい。この場合、固定レール１６が、第１壁面パネル１０における収納部材を固定する側の面に突出していないため、第１壁面パネル１０に収納部材を固定するときや、クローゼット１内に衣類を収納するときなどに固定レール１６が邪魔になる恐れがなく、また、クローゼット１としての収納スペースが固定レール１６により狭められることもない。なお、ここで「突出しない」ような構成とは、例えば、横方向の断面形状において、固定レール１６および各パネル１２、１４がフラットな面となる構成、各パネル１２、１６に対して固定レール１６が凹状になる構成などのことである。
【００５５】
また、上記実施形態においては、固定レール１６をセンターパネル１２（第１壁面パネル１０）にネジ止め構成を例示したが、固定レール１６は、ネジ以外に、例えば、ビス、ボルトなど他のネジ類や、釘、タッカーなど釘類で固定してもよい。
【００５６】
また、上記実施形態においては、各壁面パネル１０、２０、３０を、釘６０により壁面１１０に取り付ける構成を例示した。しかし、各壁面パネル１０、２０、３０は、例えば、タッカーなど他の釘類や、ビス、ボルトなどネジ類で固定してもよい。
【００５７】
また、上記実施形態においては、各壁面パネル１０、２０、３０を、釘６０により壁面１１０に取り付ける構成を例示した。しかし、各壁面パネル１０、２０、３０は、釘６０と接着剤とを併用して各壁面１１０に取り付ける構成としてもよい。
【００５８】
この場合、各壁面パネル１０、２０、３０を、釘６０と接着剤とを併用して取り付けることにより、接着剤が硬化するまでの間、釘６０により各壁面パネル１０、２０、３０の取付位置がずれることを防止できるため、接着剤のみを用いて取り付ける場合と比べ、各壁面パネル１０、２０、３０を取り付けた後の位置精度を維持しやすくなる。しかも、接着剤の硬化後は、接着剤によって取付強度を高めることができるため、釘６０または接着剤のみを用いて各壁面パネル１０、２０、３０を取り付ける場合に比べ、取付強度を高くすることができる。さらに、接着剤は、各壁面パネル１０、２０、３０と壁面１１０との接触面に入り込んで隙間を埋める充填剤として機能し、また、壁面パネル１０、２０、３０、壁面１１０、および、釘６０それぞれの間の僅かな変位を阻止するように作用するため、釘６０周りからきしみ音が発生することを防止できる。
【００５９】
また、上述した収納部材としては、ハンガーパイプ２１０、棚板２２０の他に、例えば、図５（ａ）に示すように、棚板２２０の裏面に取り付けられる引出自在のバスケット２３０や、図５（ｂ）に示すように、区切られた収納空間を複数有する小物入れ２４０などを採用することもできる。
【００６０】
また、上記実施形態においては、空間１２０における壁面１１２に相当する幅に応じて、それぞれ幅の異なる複数種類のパネルのうちいずれかのパネルをセンターパネル１２として使用する構成を例示した。しかし、図６に示すように、三方向を壁面１７０で囲まれた長方形の空間１８０における壁面１７２の幅が、センターパネル１２よりも大幅に広い（例えば、センターパネル１２の２枚分以上）場合には、センターパネルとして、横方向の断面形状において突起部１８ａが互い違い（一端側側は壁面１７２側、他端側は空間１８０側）に延出したセンターパネル１８を複数枚組み合わせて使用するように構成するとよい。この場合、それぞれ幅の異なる２種類のセンターパネル１８のうち、１種類以上のセンターパネル１８からなる複数のパネルを、壁面に合わせて組み合わせることができるため、幅の異なる２種類のセンターパネル１８をあらかじめ用意しておけば、これらパネルのうち１種類以上のパネルからなる複数のパネルを壁面１７０に合わせて組み合わせることにより第１壁面パネル１０を構成できる。そのため、様々な幅の壁面に対応できるように多種類の第１壁面パネル１０を用意しておく必要がなく、あらかじめ用意しておくべきパネルの種類を少なくすることができるため好適である。このようなことから、例えば、ウォークインクローゼットのように、三方向を壁面１７０で囲まれた長方形の空間１８０における壁面１７２がセンターパネル１２よりも大幅に広く形成されている場合でも、ユニットが埋め込まれた状態のクローゼット２を利用者の好みに合わせて自由に構築できる。
【図面の簡単な説明】
【図１】実施形態におけるクローゼットの上面図
【図２】同クローゼットの正面図（ａ）およびＡ−Ａ断面図（ｂ）
【図３】同クローゼットの固定レールを示す三面図
【図４】収納部材を示す三面図
【図５】別の実施形態における収納部材を示す三面図
【図６】別の実施形態におけるクローゼットの上面図
【図７】従来のクローゼットを示す上面図
【符号の説明】
１、２・・・クローゼット、１０・・・第１壁面パネル、１２・・・センターパネル、１２ａ・・・突起部、１４・・・カットパネル、１４ａ・・・突起部、１６・・・固定レール、１６ａ・・・固定穴、１６ｂ・・・ネジ穴、２０・・・第２壁面パネル、３０・・・第３壁面パネル、４０・・・隅部材、５０・・・引出収納、６０・・・釘。
【図１】
2004137846.tif 000003
【図２】
2004137846.tif 000004
【図３】
2004137846.tif 000005
【図４】
2004137846.tif 000006
【図５】
2004137846.tif 000007
【図６】
2004137846.tif 000008
【図７】
2004137846.tif 000009